(57)【要約】【課題】ロープのような柔軟な線材の引っ張りにおける滑りを完全に防ぎ、若しくは極力なくすことができる把持装置を提供する。【解決手段】ロープ引張具２は、例えば、ロープ１を安全スイッチに接続するために使用されるものであり、主要な入口位置と出口位置との間に亘って延在するロープ１を収容するための通路８を有したハウジング２と、通路８内のクランプ位置にてロープ１に横方向のクランプ力を付与するクランプ機構１４とを備え、通路８が、反対方向に延在する複数の通路部分１６、１７を有する。【選択図】図２
2006349183.tif 000002
【特許請求の範囲】
【請求項１】
主要な入口位置と出口位置との間に亘って延在する部材を収容するための通路を有するハウジングと、
前記通路内のクランプ位置にて前記部材に横方向のクランプ力を付与することが可能なクランプ機構とを備え、
前記通路が、反対方向に延在する複数の通路部分を有していることを特徴とする柔軟な線材を把持する把持装置。
【請求項２】
前記複数の通路部分が、２本の通路部分、必要により３本若しくはそれ以上の通路部分を有し、
これらの通路部分に前記線材を挿通させて反対方向に連続して延在させることができることを特徴とする請求項１に記載の把持装置。
【請求項３】
前記線材が補助的な入口位置と出口位置を通過して各通路部分の間の前記ハウジングから延出するように、前記複数の通路部分が互いに完全に分かれていることを特徴とする請求項１または２に記載の把持装置。
【請求項４】
前記補助的な入口位置と出口位置は、前記ハウジングの開孔部を有することを特徴とする請求項３に記載の把持装置。
【請求項５】
前記複数の通路部分は、ハウジング内で連結されていることを特徴とする請求項１または２に記載の把持装置。
【請求項６】
前記線材が連続する前記複数の通路部分の間で１８０°に亘ってループ状に戻るように、前記複数の通路部分が直線状でかつ互いに平行に延在していることを特徴とする請求項１〜５のいずれか１項に記載の把持装置。
【請求項７】
前記主要な入口位置と出口位置は、前記ハウジングの開孔部を有することを特徴とする請求項１〜６のいずれか１項に記載の把持装置。
【請求項８】
前記各通路部分の中または外へ前記線材の通過を案内するための案内構造を、前記入口位置と出口位置の一方若しくは両方の位置に付加的に組み込むことを特徴とする請求項７に記載の把持装置。
【請求項９】
前記案内構造の一つは、前記ハウジングから突出し、前記ハウジングから離間した線材が挿入される開孔部を有するフレームを備えていることを特徴とする請求項８に記載の把持装置。
【請求項１０】
前記ハウジングは、互いに対向する端壁によって閉塞されるキャビティを縁取る側壁構造体を有することを特徴とする請求項１〜９のいずれか１項に記載の把持装置。
【請求項１１】
一方又は両方の端壁は、主要な入口位置と出口位置、及び補助的な入口位置と出口位置を規定する前記開孔部を備え、前記キャビティは、前記開孔部と連結して前記通路部分を規定していることを特徴とする請求項１０に記載の把持装置。
【請求項１２】
前記側壁構造体は、前記端壁が円形をなす円筒形状であることを特徴とする請求項１０又は１１に記載の把持装置。
【請求項１３】
一方の端壁は、前記側壁構造体に一体化され、対向する他方の端壁は、前記側壁構造体に着脱自在に取り付けられていることを特徴とする請求項１０、１１、１２のいずれか１項に記載の把持装置。
【請求項１４】
前記クランプ機構は、前記ハウジング内に設けられ、そして、少なくとも一つの通路部内に、前記ハウジングの固定面に対して移動する少なくとも一つの迫持面を有し、これにより、前記ハウジングの固定面と迫持面との間に前記線材を留めるクランプ部材を構成することを特徴とする請求項１〜１３のいずれか１項に記載の把持装置。
【請求項１５】
前記クランプ部材は、前記各通路部分内で複数の固定された迫持面に対して相対的に移動可能な複数の迫持面を有することを特徴とする請求項１４に記載の把持装置。
【請求項１６】
前記主要な入口位置と出口位置及び補助的な入口位置と出口位置を前記開孔部とし、これらの固定された迫持面を前記開孔部の端縁部として、前記開孔部の端縁部と前記クランプ部材の迫持面との間に前記線材を留めるために、前記クランプ部材の迫持面を前記開孔部に対して横切る方向に移動可能な構成を有することを特徴とする請求項１５に記載の把持装置。
【請求項１７】
前記クランプ部材は、ハウジング或いはハウジングの側壁に設けられた挿通孔内に一端部が滑動可能に配置された棒材を有することを特徴とする請求項１４、１５、１６のいずれか１項に記載の把持装置。
【請求項１８】
クランプ位置と解放位置との間で前記棒材をスライド移動させるための調整装置を備えていることを特徴とする請求項１４〜１７のいずれか１項に記載の把持装置。
【請求項１９】
前記調整装置は、前記ハウジング内又は前記ハウジングの側壁に回転自在に支持され、上述の端部に対向する前記棒材の端部に形成されたネジ穴に螺入されたボルトを備えており、前記棒材の移動が前記ボルトの回転によって行われる構成を有することを特徴とする請求項１８に記載の把持装置。
【請求項２０】
前記クランプ機構は、前記ハウジングのキャビティ内に設けられていることを特徴とする請求項１４〜１９のいずれか１項に記載の把持装置。
【請求項２１】
前記ハウジングは、前記ハウジングをスイッチ部に取り付けるための調整可能なリンク機構を有することを特徴とする請求項１〜２０のいずれか１項に記載の把持装置。
【請求項２２】
前記リンク機構は、ハウジングから突出するロッドを有し、該ロッドは、長さを調整するためのネジ機構を介してフックに接続されていることを特徴とする請求項２１に記載の把持装置。
【請求項２３】
添付図に準拠して、ここに記述されているように、実質的に提供できるように構成され、そして適合されていることを特徴とする把持装置。
【発明の詳細な説明】
【技術分野】
【０００１】
本発明は、例えば安全ロープのような柔軟な線材を把持する把持装置に関する。
【背景技術】
【０００２】
機械装置の保護安全ロープシステムは、ロープを使用する。そのロープは、伸張状態でスイッチ機構に連結されている。ロープの張力の有効な変更は、連動スイッチ機構に機械装置への動力供給を停止させる動作を行わせる。
【０００３】
ロープは、把持装置を介してスイッチ機構に連結されている。把持装置は、ロープを保持しており、スイッチ機構の小環に引っ掛けるフックを有している。公知の把持装置は、ロープをクランプする一定長さの顎部を有している。
【発明の開示】
【発明が解決しようとする課題】
【０００４】
しかしながら、そのような公知の装置は、ロープの滑りや張力の喪失を防ぐことが困難であることが一般に知られている。
【０００５】
これは、引っ張りによってアウタスリーブを中心軸から引き出すことが可能な中心軸とアウタスリーブとから構成されたロープにおいて、特に著しい。
【０００６】
本発明の目的は、例えばロープのような柔軟な線材を、引張状態のもとで滑る危険を防ぐ、若しくは大幅に減らすべく、充分に安全に保持することができ、適切に使用することができる把持装置を提供することにある。
【課題を解決するための手段】
【０００７】
本発明による柔軟な線材を把持する把持装置は、主要な入口位置と出口位置との間に亘って線材を収容する通路を有するハウジングと、通路内のクランプ位置にて、線材に横方向のクランプ力を付与することができるクランプ機構とを備えており、通路が、反対方向に延在する複数の通路部分を有している。
【０００８】
この線材を把持する装置は、単に、入口位置から出口位置まで通路に線材を挿入すること、それから、線材をクランプするためのクランプ機構を操作することという便利な方法によって達成される。そして、第１方向に向かって挿通され、反対方向である第２方向に挿通するためにループ状に戻され、２番目の通路部分に挿通された範囲内において、特に線材の安全な把持という結果を得ることができる。
【０００９】
通路は、好ましくは２つの通路部分、必要により３つ若しくはそれ以上の通路部分を有しており、これらの通路部分に線材を挿通させ、反対方向に連続して延在させることができる。
【００１０】
これらの通路部分は互いに完全に分かれていて、線材が補助的な入口位置と出口位置を通過して、これらの通路部分の間のハウジングから延出してもよい。例えば、これらの通路部分は、ハウジングを貫通する貫通孔によって規定してもよい。或いは、必要であれば、これらの通路部分をハウジング内で連結してもよい。
【００１１】
これらの通路部分は、どのような形状にしてもよく、また、互いに関連する位置に配置してもよい。一つの具体例では、これらの通路部分は、直線形状をなし、互いに平行に延在してもよく、それによって、線材をこれら連続する複数の通路部分の間で１８０°に亘ってループ状に戻してもよい。
【００１２】
主要な入口位置と出口位置は、ハウジングに開孔部を備えてもよい。必要であれば、上述の主要な入口位置と出口位置の一方又は両方は、各通路部分の中にまたは外へ、線材の通過を案内するための案内構造を付加的に組み込んだ構成としてもよい。更に使いやすい一つの態様として、案内構造は、ハウジングから突出されたフレームと、そのフレームに設けられてハウジングから離間した線材が挿入される開孔部とを備えてもよい。これらの通路部分は互いに完全に分けて設けられており、補助的な入口位置と出口位置は、上述の開孔部を有する構成としてもよい。
【００１３】
ハウジングは、種々の好ましい形状とすることができる。一つの具体例では、ハウジングは、対向する一対の端壁によって閉塞されるキャビティを縁取る側壁構造体を備えている。
【００１４】
一方又は両方の端壁は、主要な入口位置と出口位置、及び補助的な入口位置と出口位置を規定する上述の開孔部を備えてもよい。そして、キャビティは、通路部分を規定する開孔部に連通してもよい。
【００１５】
側壁構造体は、端壁を円形とした円筒状としてもよい。一方の端壁は、側壁構造体と一体化され、対向する他方の端壁は、例えばネジ等の締結手段によって側壁構造体に着脱可能に取り付けられる構成としてもよい。
【００１６】
クランプ機構は、ハウジング内、例えば、上述のキャビティ内に配置されてもよく、少なくとも一つの通路部分内に、ハウジング内の固定接触面に対して相対的に移動する少なくとも一つの迫持面を有し、そのような迫持面と固定接触面との間に線材を留めるクランプ部材を有する構成としてもよい。
【００１７】
一つの具体例では、クランプ部材は、個々の通路部分内に、複数の固定迫持面に対して相対的に可動する複数の迫持面を有している。
【００１８】
主要な入口位置と出口位置、そして、補助的な入口位置と出口位置が、上述の開孔部である場合は、これらの固定迫持面は、開孔部の端縁部によって構成してもよい。クランプ部材の迫持面は、開孔部の端縁部とクランプ部材の迫持面との間に線材を留めるために、開孔部に対して横切る方向に可動される。
【００１９】
クランプ部材は、ハウジングの側壁に設けられた穴内に一端部が滑動的に配置される棒材によって構成してもよい。調整装置は、クランプ位置と解放位置との間で棒材を滑動させることでクランプ力を付与する構成としてもよい。この調整装置は、ハウジングの側壁に取り付けられ、棒材の一端部に対向する棒材の端部のネジ穴に螺合されたボルトを備えてもよく、棒材の移動はボルトの回転によって実施される。
【００２０】
ハウジングは、スイッチ部にハウジングを連結するための調整可能なリンク構造を備えてもよい。このリンク構造は、ハウジングから突出するロッドを有してもよい。そのロッドは、長さ調整可能なネジ機構を介してフックが連結されている。
【発明の効果】
【００２１】
本発明によれば、柔軟な線材の引っ張りによる滑りを防止する、若しくはその滑りを極力なくし、線材を充分に安全にかつ確実に保持することができる。
【発明を実施するための最良の形態】
【００２２】
本発明に係わる一つの実施の形態について、図面に基づいて以下に説明する。
【００２３】
図１は、本実施の形態における把持装置の分解斜視図、図２は、図１に示す装置の一部を部分的に拡大した斜視図、図３は、図２に示す組立部品の断面図である。
【００２４】
図に示すように、ロープ１に連結される把持装置は、一体化された円形状の端壁４によって一方端が閉塞され、対向する端部を後述の円形状の端壁５によって閉塞可能な、円筒状の側壁３を有した金属製のハウジング２を備えている。端壁５は、端壁５の周縁部に沿って所定間隔をおいて設けられた複数の貫通孔６に各々挿通され、側壁３の肉厚部分に形成された各ネジ穴７に各々螺入されるネジにより、側壁３に着脱可能に取り付けられている。
【００２５】
ハウジング２は、内方に形作られたキャビティ８を囲み、そして、浅い形状、換言すると、側壁３の軸方向長さが側壁３の外径と比較して短い形状に形成されている。
【００２６】
凹陥部９は、側壁３の外周囲の一部に形成され、内方で横方向に延びるウェブ１０によって閉じられている。ウェブ１０は、側壁３の半径方向に伸びる貫通孔を有している。ボルト１１は、その貫通孔に自由に挿通され、そして、凹陥部９内に収容されるヘッド１２を有している。
【００２７】
側壁３は、凹陥部９と直径方向反対側の位置に挿通孔１３を有している。細長い略矩形の棒材１４が、ハウジング２のキャビティ８に、はめ込まれており、挿通孔１３を通過して突出している。
【００２８】
棒材１４は、ハウジングの内方に位置する、略平面の先頭面、底面、両側面、略平面の後尾面を有した矩形の主要な胴部１４ａを有している。後尾面は、ハウジングの側壁の曲率に倣うように湾曲されている。胴部１４ａの幅、換言すると、側壁間を横切る寸法は、胴部１４ａの側壁の側にキャビティとの一定の間隔を設けるために、キャビティ８の対応幅よりも実質的に短い。
【００２９】
胴部１４ａの交差部分の形状は、挿通孔１３の形状とほぼ同じであり、棒材は、挿通孔１３内に滑動自在に、はめ込まれている。挿通孔１３の寸法及びハウジングの軸方向の寸法は、側壁３とほぼ同一であり、棒材１４の胴部１４ａの先頭面と底面は、端壁４、５の内側面に滑動される。
【００３０】
棒材１４は、ボルト１１と一直線状に並べられ、そして、ボルト１１を受けるためのネジ穴を、ボルト１１に面する端面に有している。
【００３１】
棒材１４は、お互いに横方向に並ぶ２つの突起部１５を有している。これらの突起部１５は、胴部１４ａの両側面から突出しており、そして、ウェブ１０の方に向けるように凸状に曲げられた案内面をそれぞれ有している。突起部１５は、延長されており、キャビティ８を縁取る側壁３の内側面に滑動される。
【００３２】
棒材１４は、突起部１５の平坦面が挿通孔１３を縁取るハウジング２の受け部１３ａの受け面に接面して、胴部１４ａの後尾面がウェブ１０から離間した外側位置と、後尾面がウェブ１０に接近する前進位置との間を滑動することができる。これらの位置間における棒材１４の動作は、ボルト１１の回転によって行われる。
【００３３】
端壁４、５は、個々に対をなす開孔部１６、１７を有している。これら対をなす各開孔部１６は、他方の対をなす各開孔部１７とそれぞれ一直線に並んで配置され、対をなす各開孔部１６、１７は、それぞれ互いにハウジング２の中心軸を中心として対称の位置に配置されている。
【００３４】
端壁４に設けられる開孔部１６は、受け部１３ａと、棒材１４の胴部１４ａの両側に亘って棒材１４の縦軸に直交する方向に延在するように配置されたウェブ１０との間の略中央位置で、胴部１４ａの側のキャビティ８内の空間部分に配置されている。
【００３５】
従って、棒材１４は、外側位置に移動したときに、端壁４、５の全ての開孔部１６、１７を自由に開放する。
【００３６】
端壁５の外表面には、Ｕ字形部材１８が取り付けられている。Ｕ字形部材１８の各脚部１９の基端は、端壁５の外表面に固定されており、脚部１９がハウジング２の中心軸に対して対称に配置されかつ端壁５の各開孔部１７の配列方向に直交して互いに一直線に配置されるように、Ｕ字形部材１８は側壁５から垂直方向に突出されている。
【００３７】
Ｕ字形部材１８の各脚部１９は、直線形状を有し、各脚部１９に対して直角に亘る交差部２０によって互いに連結されている。円形の開口穴２１は、ハウジング２の中心軸と一直線上に並ぶ位置にて交差部２０を貫通して延びる。
【００３８】
ハウジング２の端壁４は、中央開孔部を有しており、ロッド２２は、その中央開孔部に一端が挿入されて、例えば、ハウジング２の内方に位置するロッド２２の拡大部によって、端壁４に対して軸上に保持されている。ロッド２２は、端壁４に対して同軸上に回転自在に支持されている。
【００３９】
直線軸１１は、ハウジング２の軸上を外部に延びる。そして、直線軸１１は、ハウジング２から遠く離れた自由端に横穴２３を有する。調整機能付きシンブル又はスリーブ２４の一端部は、ピン２５をスリーブ２４の穴２６とロッド２２の横穴２３に通すことによってロッド２２の端部に取り付けられている。スリーブ２４は、その対向する端部に、終端がフック２８のボルト２７が挿通されて係合されている。スリーブ２４とロッド２２は、ハウジング２とボルト２７に対して回転させることにより、フック２８とハウジング２の端壁４との距離を変更することができる。
【００４０】
把持装置は、図示していない安全スイッチに張力を与えるロープ１を接続するために使用される。その安全スイッチは、例えば、ロープ１により守られ又は拘束された設備の動力を切る操作を、ロープの張力が予め設定された大きさから明確に突出することに起因して行う。
【００４１】
フック２８がアイボルトとの結合によってスイッチの操作部に連結され、そして、ロープ１の端部１ａがハウジング２内で把持される。
【００４２】
ロープ端部１ａの把持は、ロープ端部１ａをＵ字形部材１８の交差部２０に設けられた開口穴２１に挿通し、次いで、端壁５に設けられた開孔部１７の一つに挿通し、そして、端壁４にて開孔部１７と同軸上に位置する開孔部１６に挿通することによって成し遂げられる。
【００４３】
そして、ロープ１のロープ端部１ａは、ループ状に戻され、端壁５の外表面に表れている他方の対をなして同軸上に位置する開孔部１６、１７に挿通される。
【００４４】
ボルトヘッド１２は、棒材１４をウェブ１０に向かって移動させるために回転される。これにより、棒材１４の突起部１５が開孔部１６、１７に部分的に重なる位置に移動され、突起部１５の凸状に曲げられた案内面は、ロープ１を留めて、開孔部１６、１７の端縁部と突起部１５の案内面との間にクランプする。
【００４５】
ロープ１は、案内手段として機能するＵ字形部材１８の開口穴２１に挿通され、次いで、ハウジング２が有する二組の開孔部１６、１７に挿通される。これら二組の開孔部１６、１７は、ハウジング２の中心軸に沿って互いに平行でかつ反対方向に延在するロープ１のための２つの通路部分を規定し、ロープは、端壁４の外部でループ状にされて、自由に或いは締め付けられて接触している。
【００４６】
このロープの通路にロープを１８０°に亘ってループ状に戻し、両方の通路部分に延在するロープに棒材を当接させて厳格に固定又はクランプすることにより、引っ張りによる滑りの危険を排除する、或いは殆ど滑らないようにロープの確実な保持を保証する。
【００４７】
ロープ１の張力を所望の値とするための調整は、所望の大きさでロープを引っ張ること、及び細かな調整目的のためにスリーブ２４を回転させることによって達成される。
【００４８】
上述の具体例は本発明の一例として記載したものであり、本発明は、上述の具体例の細部に限定されることを意図するものではないことは当然である。
【図面の簡単な説明】
【００４９】
【図１】本実施の形態における把持装置の分解斜視図である。
【図２】図１に示す装置の部品を部分的に拡大した斜視図である。
【図３】図２に示す組立部品の断面図である。
【符号の説明】
【００５０】
１  ロープ
２  ロープ引張具（ハウジング）
３  端壁部
４、５  端壁部
８  キャビティ
１６、１７  開孔部
１８  Ｕ字形フレーム部材
１９  脚部
２２  ロッド
【図１】
2006349183.tif 000003
【図２】
2006349183.tif 000004
【図３】
2006349183.tif 000005
【外国語明細書】
1. Title of Invention
Rope Tensioner
2. Detailed Description of Invention
2006349183.tif 000006
2006349183.tif 000007
2006349183.tif 000008
2006349183.tif 000009
2006349183.tif 000010
2006349183.tif 000011
2006349183.tif 000012
2006349183.tif 000013
2006349183.tif 000014
2006349183.tif 000015
3. Brief Description of Drawings
Figure 1 is an exploded perspective view of one form of a gripping device 
according to the present invention.
Figure 2 is a enlarged partially exploded perspective view showing parts of 
the device of Figure 1.
Figure 3 is a sectional view of the assembled parts of Figure 2.
2006349183.tif 000016
2006349183.tif 000017
2006349183.tif 000018
2006349183.tif 000019
2006349183.tif 000020
1. Abstract
2006349183.tif 000021
2. Representative Drawing
Figure 1
2006349183.tif 000022
2006349183.tif 000023
2006349183.tif 000024